(57)【要約】【課題】手入杆体を親指と人差指とで摘み、この摘み状態で親指と人差指を異方向に擦動させることにより手入杆体はそれぞれ同方向に回動し、また、親指と人差指を逆の異方向に擦動させることにより手入杆体はそれぞれ逆の同方向に回動し、端部の触体を耳の耳穴や耳穴近傍に接触させることにより耳垢等を取り除いて手入れをすることができ、この際、手入杆体を親指と人差指でつまんで擦動させてそれぞれ回動させることにより、心地よい触られ感を得ることができ、かつ、一対の手入杆体からなるので、耳穴内に容易に没入することもなく、更に、曲げ強度を高めることができ、身体障害者、子供、お年寄りでも単独で安全に使用することができる。【解決手段】端部に触体２をもつ一対の手入杆体１を結合部材３にそれぞれ回動自在に並列配置してなる。【選択図】図１
2006192055.tif 000002
【特許請求の範囲】
【請求項１】
端部に触体をもつ一対の手入杆体を結合部材にそれぞれ回動自在に並列配置してなることを特徴とする耳鼻穴手入れ具。
【請求項２】
上記一対の手入杆体の両端部に触体を設けてなることを特徴とする請求項１記載の耳鼻穴手入れ具。
【請求項３】
上記一対の手入杆体の長さを異ならせ、各手入杆体の一方端部を揃えると共に各他方端部を一方が突出するように配置してなることを特徴とする請求項１又は２記載の耳鼻穴手入れ具。
【請求項４】
上記一対の手入杆体は両端部に綿体をもつ綿棒であることを特徴とする請求項１〜３のいずれか１項に記載の耳鼻穴手入れ具。
【請求項５】
上記結合部材を物品、動物、植物等の疑似形態に形成してなることを特徴とする１〜４のいずれか１項に記載の耳鼻穴手入れ具。
【請求項６】
上記一対の手入杆体を上記結合部材に着脱自在に設けてなることを特徴とする１〜５のいずれか１項に記載の耳鼻穴手入れ具。
【発明の詳細な説明】
【技術分野】
【０００１】
本発明は例えば、耳や鼻の穴、その周囲等を手入れする際に用いられる耳鼻穴手入れ具に関するものである。
【背景技術】
【０００２】
従来この種の耳鼻穴手入れ具として、耳かき、綿棒等が知られている。
【特許文献１】特開２００１−３５５
【発明の開示】
【発明が解決しようとする課題】
【０００３】
しかしながらこの従来構造の耳かきや綿棒等の場合、耳穴内に没入する構造のため、使用に際しては相当な注意が必要であり、身体障害者、子供、お年寄りの単独使用が困難であるという不都合を有している。
【課題を解決するための手段】
【０００４】
本発明はこれらの不都合を解決することを目的とするもので、本発明のうちで、請求項１記載の発明は、端部に触体をもつ一対の手入杆体を結合部材にそれぞれ回動自在に並列配置してなることを特徴とする耳鼻穴手入れ具にある。
【０００５】
又、請求項２記載の発明は、上記一対の手入杆体の両端部に触体を設けてなることを特徴とするものであり、又、請求項３記載の発明は、上記一対の手入杆体の長さを異ならせ、各手入杆体の一方端部を揃えると共に各他方端部を一方が突出するように配置してなることを特徴とするものであり、又、請求項４記載の発明は、上記一対の手入杆体は両端部に綿体をもつ綿棒であることを特徴とするものであり、又、請求項５記載の発明は、上記結合部材を物品、動物、植物等の疑似形態に形成してなることを特徴とするものであり、又、請求項６記載の発明は、上記一対の手入杆体を上記結合部材に着脱自在に設けてなることを特徴とするものである。
【発明の効果】
【０００６】
本発明は上述の如く、請求項１記載の発明にあっては、使用に際し、例えば、手入杆体を親指と人差指とで摘み、この摘み状態で親指と人差指を異方向に擦動させることにより手入杆体はそれぞれ同方向に回動し、また、親指と人差指を逆の異方向に擦動させることにより手入杆体はそれぞれ逆の同方向に回動し、端部の触体を耳の耳穴や耳穴近傍に接触させることにより耳垢等を取り除いて手入れをすることができ、この際、手入杆体を親指と人差指でつまんで擦動させてそれぞれ回動させることにより、心地よい触られ感を得ることができ、かつ、一対の手入杆体からなるので、耳穴内に容易に没入することもなく、更に、曲げ強度を高めることができ、身体障害者、子供、お年寄りでも単独で安全に使用することができる。
【０００７】
又、請求項２記載の発明にあっては、上記一対の手入杆体の両端部に触体を設けてなるから、手入杆体を持ち替えることにより両触体を交互に使用することができ、又、請求項３記載の発明にあっては、上記一対の手入杆体の長さを異ならせ、各手入杆体の一方端部を揃えると共に各他方端部を一方が突出するように配置して構成しているから、一方が突出する他方端部の触体を単一の綿棒の綿体として使用することができ、用途の拡大を図ることができる。
【０００８】
又、請求項４記載の発明にあっては、上記一対の手入杆体は両端部に綿体をもつ綿棒であるから、綿棒の綿体のもつ良い接触感を得ることができ、又、請求項５記載の発明にあっては、上記結合部材を物品、動物、植物等の疑似形態、この場合、野球のボールに似た形態に形成しているから、商品の斬新性を高めることができ、商品需要の拡大を図ることができ、又、請求項６記載の発明にあっては、上記一対の手入杆体を上記結合部材に着脱自在に設けてなるから、一対の手入杆体の完成品を結合部材に組み付けることができ、製作を容易に行うことができる。
【発明を実施するための最良の形態】
【０００９】
図１乃至図９は本発明の実施の形態例を示し、図１乃至図４は第一形態例、図５、図６は第二形態例、図７は第三形態例、図８、図９は第四形態例である。
【００１０】
図１乃至図４の第一形態例において、１・１は手入杆体であって、この場合、両端部に触体２・２としての綿体２ａ・２ａをもつ同じ長さＬの綿棒２ｂ・２ｂからなり、合成樹脂性等の結合部材３・３に一対の手入杆体１・１を回動自在に挿通可能な挿通穴３ａ・３ａを並列形成し、この挿通穴３ａ・３ａに一対の手入杆体１・１をそれぞれ回動自在に並列配置し、手入杆体１・１に規制機構４としての環状リング４ａ・４ａを結合部材３の両側面を挟装する状態で圧挿入し、手入杆体１・１の横移動を規制して構成している。尚、環状リング４ａ・４ａに代えて、手入杆体１・１自体に環状リング４ａ・４ａと同様な環状凸部を形成してもよい。
【００１１】
この実施の第一形態例は上記構成であるから、使用に際し、例えば、図３、図４の如く、手入杆体１・１を親指Ｋと人差指Ｇとで摘み、この摘み状態で親指Ｋと人差指Ｇを異方向Ｍ・Ｎに擦動させることにより手入杆体１・１はそれぞれ同方向に回動Ｒし、また、親指Ｋと人差指Ｇを逆の異方向Ｍ・Ｎに擦動させることにより手入杆体１・１はそれぞれ逆の同方向に回動Ｒし、端部の触体２・２を耳Ｗの耳穴Ｗ1や耳穴近傍Ｗ2に接触させることにより耳垢等を取り除いて手入れをすることができ、この際、手入杆体１・１を親指Ｋと人差指Ｇでつまんで擦動させてそれぞれ回動Ｒさせることにより、心地よい触られ感を得ることができ、かつ、一対の手入杆体１・１からなるので、耳穴Ｗ1内に容易に没入することもなく、更に、曲げ強度を高めることができ、身体障害者、子供、お年寄りでも単独で安全に使用することができる。
【００１２】
又、この場合、上記一対の手入杆体１・１の両端部に触体２・２を設けてなるから、手入杆体１・１を持ち替えることにより両触体２・２を交互に使用することができ、又、この場合、上記一対の手入杆体１・１は両端部に綿体２ａ・２ａをもつ綿棒２ｂ・２ｂであるから、綿棒２ｂ・２ｂの綿体２ａ・２ａのもつ良い接触感を得ることができる。
【００１３】
図５、図６の第二形態例は別例構造を示し、この場合、上記結合部材３・３を物品、動物、植物等の疑似形態、この場合、野球のボールに似た形態３ｂ・３ｂに形成している。
【００１４】
この実施の第二形態例は上記構成であるから、上記第一形態例と同様な作用効果を得ることができ、更に、上記結合部材３・３を物品、動物、植物等の疑似形態に形成されていることにより商品の斬新性を高めることができ、商品需要の拡大を図ることができる。
【００１５】
図７の第三形態例は別例構造を示し、この場合、上記一対の手入杆体１・１の長さＬを異ならせ、各手入杆体１・１の一方端部を揃えると共に各他方端部を一方が突出するように配置して構成している。
【００１６】
この実施の第三形態例は上記構成であるから、揃った一方端部の触体２により上記第一形態例と同様な作用効果を得ることができ、かつ、一方が突出する他方端部の触体２を単一の綿棒２ｂの綿体２ａとして使用することができ、用途の拡大を図ることができる。
【００１７】
図８、図９の第四形態例は別例構造を示し、この場合、上記一対の手入杆体１・１を上記結合部材３に着脱自在に設けてなり、即ち、上記結合部材３及び環状リング４ａに割溝３ｃ・４ｂを形成すると共に結合部材３及び環状リング４ａを弾性材により形成し、一対の手入杆体１・１を割溝３ｃを介して結合部材３の挿通穴３ａに挿入配置すると共に割溝４ｂを介して環状リング４ａを挿入するように構成している。
【００１８】
この実施の第四形態例は上記構成であるから、上記第一形態例と同様な作用効果を得ることができ、かつ、一対の手入杆体１・１の完成品を結合部材３に組み付けることができ、製作を容易に行うことができる。
【００１９】
尚、本発明は上記実施の形態例に限られるものではなく、耳穴の他に鼻穴用に適用することもでき、手入杆体１、触体２、結合部材３の形態、構造、材質等は適宜変更して設計される。
【００２０】
以上、所期の目的を充分達成することができる。
【図面の簡単な説明】
【００２１】
【図１】本発明の実施の第一形態例の全体斜視図である。
【図２】本発明の実施の第一形態例の全体平面図である。
【図３】本発明の実施の第一形態例の使用状態の断面図である。
【図４】本発明の実施の第一形態例の使用状態の側断面図である。
【図５】本発明の実施の第二形態例の全体斜視図である。
【図６】本発明の実施の第二形態例の全体正面図である。
【図７】本発明の実施の第三形態例の全体正面図である。
【図８】本発明の実施の第四形態例の部分分離斜視図である。
【図９】本発明の実施の第四形態例の横断面図である。
【符号の説明】
【００２２】
Ｌ    長さ
１    手入杆体
２    触体
３    結合部材
【図１】
2006192055.tif 000003
【図２】
2006192055.tif 000004
【図３】
2006192055.tif 000005
【図４】
2006192055.tif 000006
【図５】
2006192055.tif 000007
【図６】
2006192055.tif 000008
【図７】
2006192055.tif 000009
【図８】
2006192055.tif 000010
【図９】
2006192055.tif 000011